【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
表面を有するスライド板であって試料を保持し前記試料に関連するラベル情報が記載されたラベルが前記表面に設けられたスライド板が撮影されることにより得られる、前記試料及び前記ラベルの両画像を含む、前記スライド板の画像を記憶可能な記憶部と、
前記スライド板の画像をサムネイル画像として出力可能な出力部と
を具備する情報処理装置。
【請求項２】
請求項１に記載の情報処理装置であって、
前記スライド板の画像内の前記ラベル画像を切り出すことにより切り出しラベル画像を生成する処理部をさらに具備し、
前記記憶部は、前記スライド板画像内の少なくとも前記試料画像を含み前記ラベル画像が除去された除ラベルスライド板画像と、前記切り出しラベル画像とを関連付けて記憶する
情報処理装置。
【請求項３】
請求項２に記載の情報処理装置であって、
前記処理部は、前記スライド板画像のうち前記ラベル画像を隠匿するためのカバー画像を、前記スライド板画像の前記ラベル画像上に合成することにより、前記除ラベルスライド板画像を生成し、
前記記憶部は、前記除ラベルスライド板画像と、前記切り出しラベル画像とを関連付けて記憶する
情報処理装置。
【請求項４】
請求項２に記載の情報処理装置であって、
前記処理部は、さらに、前記切り出しラベル画像を暗号化可能であり
前記記憶部は、前記除ラベルスライド板画像と、前記暗号化された暗号化切り出しラベル画像とを関連付けて記憶する
情報処理装置。
【請求項５】
請求項３に記載の情報処理装置であって、
前記処理部は、さらに、前記切り出しラベル画像を暗号化可能であり、
前記処理部は、前記除ラベルスライド板画像と、前記暗号化された暗号化切り出しラベル画像とを関連付けて記憶する
情報処理装置。
【請求項６】
請求項４または５に記載の情報処理装置であって、
前記処理部は、復号パスワードに基づいて前記暗号化切り出しラベル画像を復号可能であり、復号された前記切り出しラベル画像を、前記除ラベルスライド板画像内の前記ラベルが設けられる領域に合成することにより、前記スライド板画像を復元する
情報処理装置。
【請求項７】
請求項２に記載の情報処理装置であって、
前記処理部は、前記スライド板画像のうち前記ラベル画像を隠匿するためのカバー画像を、前記スライド板画像の前記ラベル画像上に合成することにより、前記除ラベルスライド板画像を生成し、
前記記憶部は、前記除ラベルスライド板画像を、元の前記スライド板画像に関連付けて記憶する
情報処理装置。
【請求項８】
請求項７に記載の情報処理装置であって、
前記出力部は、前記元のスライド板画像と前記除ラベルスライド板画像とを選択的に出力する
情報処理装置。
【請求項９】
請求項２から８のうちいずれか１項に記載の情報処理装置であって、
前記処理部は、前記スライド板の画像のうち、所定の領域をラベル領域として切り出す
情報処理装置。
【請求項１０】
請求項２から８のうちいずれか１項に記載の情報処理装置であって、
前記処理部は、前記スライド板の画像のうち、エッジ検出処理により前記ラベル画像を切り出す
情報処理装置。
【請求項１１】
請求項２に記載の情報処理装置であって、
前記処理部は、前記スライド板の画像のうち前記ラベル情報を、文字認識処理により読み取る
情報処理装置。
【請求項１２】
請求項１１に記載の情報処理装置であって、
前記処理部は、さらに、前記読み取られた前記ラベル情報を暗号化する
情報処理装置。
【請求項１３】
請求項１に記載の情報処理装置であって、
前記スライド板が透明である場合、前記記憶部は、前記スライド板の前記表面の反対側である裏面側から、前記スライド板に照明光が照射されて前記表面側からの前記スライド板の撮影により得られる、前記試料画像及び前記ラベルの影によって前記ラベル情報が隠匿された除ラベルスライド板画像を、前記スライド板画像に関連付けて記憶する
情報処理装置。
【請求項１４】
表面を有するスライド板であって試料を保持し前記試料に関連するラベル情報が記載されたラベルが前記表面に設けられたスライド板を撮影可能であり、前記撮影により、前記試料及び前記ラベルの両画像を含む、前記スライド板の画像を取得可能な取得部と、
前記スライド板の画像を送信可能な送信部と
を含むスキャナ装置と、
前記スキャナ装置の前記送信部から送信された前記スライド板画像を、サムネイル画像として記憶可能な記憶部と、
前記サムネイル画像の取得を要求する要求信号を受信可能な受信部と、
前記要求信号を受信したことに基づき、前記記憶されたサムネイル画像を送信可能な送信部と
を含むサーバ装置と、
前記要求信号を生成可能な生成部と、
前記生成された要求信号を前記サーバ装置に送信可能な送信部と、
前記サーバ装置から送信される前記サムネイル画像を受信可能な受信部と
を含むビューワ装置と
を具備する情報処理システム。
【請求項１５】
表面を有するスライド板であって試料を保持し前記試料に関連するラベル情報が記載されたラベルが前記表面に設けられたスライド板が撮影されることにより得られる、前記試料及び前記ラベルの両画像を含む、前記スライド板の画像を、サムネイル画像として記憶可能な記憶部と、
前記サムネイル画像の取得を要求する要求信号を受信可能な受信部と、
前記要求信号を受信したことに基づき、前記記憶されたサムネイル画像を送信可能な送信部と
を含むサーバ装置と、
前記要求信号を生成可能な生成部と、
前記生成された要求信号を前記サーバ装置に送信可能な送信部と、
前記サーバ装置から送信される前記サムネイル画像を受信可能な受信部と
を含むビューワ装置と
を具備する情報処理システム。
【請求項１６】
表面を有するスライド板であって試料を保持し前記試料に関連するラベル情報が記載されたラベルが前記表面に設けられたスライド板が撮影されることにより得られる、前記試料及び前記ラベルの両画像を含む、前記スライド板の画像を、サムネイル画像として記憶し、
前記サムネイル画像を出力する
情報処理方法。
【手続補正２】
【補正対象書類名】明細書
【補正対象項目名】０１０７
【補正方法】変更
【補正の内容】
【０１０７】
ステップ３０４では、ステップ３０２でＹＥＳの場合は、スキャナ３００は、ステップ３０１で撮影されたスライドガラス画像ＳＬＴをサムネイル画像として送信する。一方、ステップ３０３を経由する場合、スキャナ３００は、切り出しラベル画像２６'と除ラベルスライドガラス画像ＳＬＴ１（ＳＬＴ２）とを関連付け、これらの画像をサムネイル画像としてサーバ２００に送信する。
【手続補正３】
【補正対象書類名】明細書
【補正対象項目名】０１１０
【補正方法】変更
【補正の内容】
【０１１０】
ステップ４０６では、スキャナ３００は、図１１Ａ及びＢに示したように、暗号化された切り出しラベル画像２６'と、除ラベルスライドガラス画像ＳＬＴ１等とを関連付け、これらの画像をサムネイル画像としてサーバ２００に送信する。
【手続補正４】
【補正対象書類名】明細書
【補正対象項目名】０１２５
【補正方法】変更
【補正の内容】
【０１２５】
復号化に成功しなかった場合（ステップ５０７のＮＯ）、ビューワ１００は、ステップ５０９に進み、パスワードが入力済みでない場合の処理と同様に、ラベル領域に鍵の絵の画像が合成された除ラベルスライドガラス画像（図１６のＣで示す画像）を、サムネイル画像として表示する。復号化に成功しなかった場合とは、例えばパスワードが誤入力された場合である。